(57)【要約】      （修正有）【課題】流動物内に含まれている磁性異物、微細な磁性異物を流動体から除去して装置内に滞留させる湿式又は液体の流動体の微小磁性異物除去装置を提供する。【解決手段】流動体の入口部及び出口部を有する細長なパイプ部を有するケース１内にはアウターパイプ２内に密接して挿入されたバーマグネット３が挿入されこのアウターパイプ２の外周には頂部に突起４ａを有する突起部４が形成される。この突起部４の垂直面等に当接した流動体内の微性異物が滞留すると共にこの突起部４の頂点とケース１の内面との間には微小隙間７が形成されると共に傾斜面が形成され流動体はこの微小隙間を通過する際に渦流８や分散を発生させ、含有していた磁性異物９を分離し、この磁性異物９はアウターパイプ２の突起部４の根本の磁極に吸着して分離される。【選択図】図６
0003206760.tif 000002
【実用新案登録請求の範囲】
【請求項１】
磁性異物を含む流動体内の数１００ｎｍ〜数十μｍ以下の微小な磁性異物を除去出来る異物除去装置であって、該装置は、前記流動体の通過する通路とその入口部及び出口部を有するケースと、該ケース内に挿入され外面に複数の突起部を併設し内部に突起部の直前又は直前の近傍に配置されるように構成した磁極を併設したバーマグネットを有するアウターパイプ（鞘管）又は、磁極を併設し磁極の直後又は直後の近傍、かつ外面に複数の突起部を併設する突起付のバーマグネットを有するものからなり、前記突起部は、前記磁極に吸着した前記微小な磁性異物が前記流動体によって剥離される事を防ぐために形成される垂直面又はほぼ垂直な面からなる正面側と、前記流動体が前記突起部を通過する際、次の前記磁極に前記微小な磁性異物が吸着しやすくなるように前記流動体内の前記微小な磁性異物が分散されやすくするために形成される傾斜面からなる背面側とからなり、前記磁極に前記微小な磁性異物が吸着されやすくなるように前記突起部の頂点と前記ケースの内面との間には微小な隙間が形成されるものからなることを特徴とする湿式又は液体の流動体の微小磁性異物除去装置。
【考案の詳細な説明】
【技術分野】
【０００１】  本考案は、従来技術では強力な磁力を有する磁石を用いても、かつその他の手段を用いても完全除去出来なかった微細な磁性異物をほぼ１００％除去出来る湿式又は液体の流動体の微小磁性異物除去装置に関する。
【背景技術】
【０００２】  従来より微性磁性異物や微小異物を除去する装置としては各種のものが有り、例えば「特許文献１」の如きものや「非特許文献１」の如きものがあるが後に説明する本考案の如き湿式又は液体の流動体の微小磁性異物除去装置は公知文献としては見当らない。
【先行技術文献】
【特許文献】
【０００３】
【特許文献１】特開２００５−４０６９２号（図１）
【非特許文献１】図８に示す。
【考案の概要】
【考案が解決しようとする課題】
【０００４】  「特許文献１」の「特開２００５−４０６９２号」の「固定異物除去機能を有する濾過装置」は流動体の中の微細な異物を除去するもので外観的には本考案に似ている点もあるが磁力を使用するものでなくフィルタ的の機能を有するものである基本的構造において本考案とは相違するものである。【０００５】  「非特許文献１」は図８に示す構造のものでありケース１内にバーマグネット３を微小隙間を介して挿入したものであるが、この構造では折角バーマグネット側に吸着した異物が流動体の流れに伴って剥がされて流出してしまう問題点があり、微小異物を除去することが出来ない。【０００６】  一般に磁性異物は微小化するにつけ磁性が弱くなり吸着が出来にくい性質がある。また、磁性の弱い微小異物はマグネット吸着しても流動体によって引き剥がされてしまう問題点がある。
また、流動体の流速が速くなればなるほどまた粘度が高いほど前記の問題点の現象が強くなる。【０００７】  そこで後に詳しく説明するように本考案は突起部やケースとの間のクリアランスを狭くしたり、異物の滞留の効果と異物の分散の容易化を計って異物を磁界内に滞留させて異物除去効果を促進し、前記の問題点を解決することを目的とした異物除去装置を創案したものである。
【課題を解決するための手段】
【０００８】  本考案は以上の目的を達成するために開発されたものであり、請求項１の考案は、磁性異物を含む流動体内の数１００ｎｍ〜数十μｍ以下の微小な磁性異物を除去出来る異物除去装置であって、該装置は、前記流動体の通過する通路とその入口部及び出口部を有するケースと、該ケース内に挿入され外面に複数の突起部を併設し内部に突起部の直前又は直前の近傍に配置されるように構成した磁極を併設したバーマグネットを有するアウターパイプ（鞘管）又は、磁極を併設し磁極の直後又は直後の近傍、かつ外面に複数の突起部を併設する突起付のバーマグネットを有するものからなり、前記突起部は、前記磁極に吸着した前記微小な磁性異物が前記流動体によって剥離される事を防ぐために形成される垂直面又はほぼ垂直な面からなる正面側と、前記流動体が前記突起部を通過する際、次の前記磁極に前記微小な磁性異物が吸着しやすくなるように前記流動体内の前記微小な磁性異物が分散されやすくするために形成される傾斜面からなる背面側とからなり、前記磁極に前記微小な磁性異物が吸着されやすくなるように前記突起部の頂点と前記ケースの内面との間には微小な隙間が形成されるものからなることを特徴とする。
【考案の効果】
【０００９】  本考案の請求項１の湿式又は液体の流動体の微小磁性異物除去装置によれば、入口部と出口部を有するケース内に複数の突起部を併設したアウターパイプやバーマグネットを配設しこの突起部の前面側に垂直面又はほぼ垂直な面（垂直面等と仮称する）を形成し流動体の滞留時間を促進すると共に背面側に傾斜面を形成し異物の分散を促進させ異物の除去の効率化を計ると共にケースとのクリアランスを微小化して流動体の流速を制限し、更に垂直面等を磁極の直後又は直後の近傍に配設して吸着した異物の引き剥きを防止する効果を上げることが出来る。
また、アウターパイプの構造を設けることにより異物の清掃作業の効果を計ることが出来る。
【図面の簡単な説明】
【００１０】
【図１】本考案の全体構造を示す軸断面図。
【図２】本考案の湿式又は液体の流動体の微小磁性異物除去装置のケースの構造を示す軸断面図。
【図３】本考案の湿式又は液体の流動体の微小磁性異物除去装置のアウターパイプを示す平面図。
【図４】アウターパイプ内に挿入されるバーマグネットを示す平面図。
【図５】アウターパイプの外周に形成されている突起部の形状とその配置を示す部分断面図。
【図６】本考案の湿式又は液体の流動体の微小磁性異物除去装置の異物除去作用を説明するための説明用断面図。
【図７】突起付磁石を有する磁性物除去装置の部分的断面図。
【図８】非特許文献の概要構造を示す部分軸断面図。
【考案を実施するための形態】
【００１１】  以下、本考案の湿式又は液体の流動体の微小磁性異物除去装置の実施の形態を図面を参照して詳述する。
【実施例１】
【００１２】  図１に示すように、本考案の湿式又は液体の流動体の微小磁性異物除去装置１００は、細長なケース１とこの中に収納されているアウターパイプ（鞘管）２と図示では明確ではないがアウターパイプ２内に密接して収納されているバーマグネット３等とから構成されている。【００１３】  図２はケース１の全体構造を示すものである。ケース１は細長なパイプ部１ａと流動体（図略）の出入する入口部１ｂと出口部１ｃとを有し、パイプ部１ａは一方側（図示では左側）に開放口１ｄが設けられている。【００１４】  図３に示すように、アウターパイプ２はケース１の開放口１ｄから挿入される細長なパイプ状のものからなり、その軸部２ａには突起４ａを頂部に形成する突起部４がリング状に等間隔で多数個配列されている。また、アウターパイプ２はその一端（図示では右側）が閉止され他端（図示では左側）は開放されたものでケース１内の所定位置に挿入されるようにフランジ２ｂが設けられ他端には内部に収納される図４のバーマグネットの挿入位置を決めるためのフランジ２ｃが形成されている。【００１５】  図４は図３のアウターパイプ２内に挿入されるバーマグネット３を示す。このバーマグネット３は図略されているが磁極５（図６）とマグネット６とを交互に配置したものからなり、アウターパイプ２への挿入位置を決めるためのフランジ３ａと把持部３ｂとを有するものからなる。【００１６】  図５は図１の丸印のＡ部の拡大図であり本考案の主要部の構造の一実施例を示すものである。アウターパイプ２には図示のように外周から出っ張り頂部に鋭角に突出する突起４ａを有する突起部４が複数個等間隔で配列される。この突起部４は流動体の流れ方向の前面側に垂直面等有し後方側に傾斜面を有するほぼ垂直の三角形の如き形状からなる。また、この突起４ａとケース１の内面との間には微小隙間７が形成されている。また、アウターパイプ２の内部には図４に示したバーマグネット３が密接して挿入されている。【００１７】  図６は本考案の作用を示すものである。ケース１内に入口部１ｂにより導入された磁性異物を含む流動体はまず垂直面等に当り、図６に示すように滞留１１が生じ流動体の磁性異物９が磁極５に吸着する。次に、流動体は突起４ａとケースとの間の微小隙間７を通過するがこの際に図示のように渦流８が発生する。この渦流８の発生と突起部４の傾斜面により流動体内の磁性異物９が分散され次の突起部４の垂直面等に当り磁極５に吸着される。この現象により湿式又は液体の流動体の磁性異物９が除去される。この分散された磁性異物９は図示のようにその根本に吸着される。この分散された磁性異物９は突起部４の下方に磁極５が配置されているためアウターパイプ２側に強く吸着して剥がされることなく、結果として流動体は磁性異物９を分離した状態で出口部１ｃから吐出されることになる。
この結果、従来技術では除去出来なかった微小の磁性異物９が除去されると共に更に遥かに小さい磁性異物９も流動体から除去されることになる。
以上のように、本考案の湿式又は液体の流動体の微小磁性異物除去装置１００によれば、従来技術にない磁性異物９の除去が可能となる素晴らしい効果を上げることが出来る。
【実施例２】
【００１８】  図７は実施例１とはやや相異する湿式又は液体の流動体の微小磁性異物除去装置の部分的断面図を示す。
このものは実施例１のようにアウターパイプ２に突起部４を設けたものではなく、磁石そのものに突起部４を形成したものである。即ち、突起付磁石１０を設けたものである。この突起付磁石１０も前記のバーマグネット３の磁力と同様に高い磁性力を有するものである。
この突起付磁石１０の突起部４の突起４ａをケース１の内面に微小隙間７を介して配置する事により実施例１とほぼ同様の効果を上げる事が出来る。なお、微小隙間としては、例えば１ｍｍ程度のものからなる。なお、このものには図示のように磁極５が併設されておりこのバーマグネットは突起付のバーマグネットとも言うべきものである。【００１９】  本考案は、以上の内容のものからなるが、その内容は以上のものに限定するものではなく、同一技術的範疇のものが適用されることは勿論である。
【産業上の利用可能性】
【００２０】  本考案は、磁性異物を含む流動体の全てから微小異物を除去する効果があり、構造も簡単であり、適用範囲は広く、利用可能性は極めて高い。
【符号の説明】
【００２１】  １      ケース
１ａ    パイプ部
１ｂ    入口部
１ｃ    出口部
１ｄ    開放口
２      アウターパイプ（鞘管）
２ａ    軸部
２ｂ    フランジ
２ｃ    フランジ
３      バーマグネット
３ａ    フランジ
３ｂ    把持部
４      突起部
４ａ    突起
５      磁極
６      マグネット
７      微小隙間
８      渦流
９      磁性異物
１０    突起付磁石
１１    滞留
１００  湿式又は液体の流動体の微小磁性異物除去装置
【図１】
0003206760.tif 000003
【図２】
0003206760.tif 000004
0003206760.tif 000005
【図５】
0003206760.tif 000006
【図６】
0003206760.tif 000007
【図７】
0003206760.tif 000008
【図８】
0003206760.tif 000009
【手続補正書】
【提出日】平成28年8月12日(2016.8.12)
【手続補正１】
【補正対象書類名】図面
【補正対象項目名】全図
【補正方法】変更
【補正の内容】
【図１】
0003206760.tif 000010
【図２】
0003206760.tif 000011
【図３】
0003206760.tif 000012
【図４】
0003206760.tif 000013
【図５】
0003206760.tif 000014
【図６】
0003206760.tif 000015
【図７】
0003206760.tif 000016
【図８】
0003206760.tif 000017